(57)【要約】【課題】しわや撓みが生じることなくホログラム感材シートを光学基材に確実に貼り付けることができ、しかも、ホログラムの変形が生じることなく、高い精度で露光することのできるホログラム感材シート貼付方法を提供する。【解決手段】積層シート１のうち、カバーシート２を剥離し、これによって露出したホログラム感材シート３を光学基材Ｌ１に載置して真空下で押圧することによって貼り付ける。その後、ベースシート５を剥離して、光学基材Ｌ１に貼り付けられたホログラム感材シート３に露光することによってホログラム光学素子１００を作製する。【選択図】図８
2006178184.tif 000002
【特許請求の範囲】
【請求項１】
ホログラム感材シートの上下面に保護シートが密着して積層されてなる積層シートのうち、前記ホログラム感材シートを光学基材に貼り付けてホログラム光学素子を作製するホログラム感材シート貼付方法において、
前記積層シートのうち、下面の保護シートを剥離する第１剥離工程と、
第１剥離工程後に、前記積層シートの露出した前記ホログラム感材シートを前記光学基材に載置して真空下で押圧することによって貼り付ける貼付工程と、
貼付工程後に、前記積層シートの上面の保護シートを剥離する第２剥離工程と、
第２剥離工程後に、前記光学基材に貼り付けられたホログラム感材シートに露光する露光工程とを備えていることを特徴とするホログラム感材シート貼付方法。
【請求項２】
前記貼付工程時に、押圧ローラによって前記ホログラム感材シートを前記光学基材に押圧し、前記押圧ローラの硬度が３０〜６０度であることを特徴とする請求項１に記載のホログラム感材シート貼付方法。
【発明の詳細な説明】
【技術分野】
【０００１】
本発明は、ホログラム感材シートを光学基材に貼り付けるホログラム感材シート貼付方法に関する。
【背景技術】
【０００２】
従来より、種々の用途においてホログラム光学素子が広く用いられている。例えば、観察者頭部に装着されて、ハンズフリーで情報を得ることのできる装置として知られているウェアラブルディスプレイ（眼鏡型ディスプレイ装置）は、眼鏡レンズ部分の表面にホログラム光学素子が貼り付けられ又はその内部に埋設されることにより保持されている。
ホログラム光学素子は、コヒーレントな２光束を干渉させて、その干渉縞を乳剤等のホログラム感材シートに記録させることで作製される。このホログラム感材シートはホログラムを形成するためのホログラム感材用組成物、バインダー等から形成されており、このバインダーはゲル状の性質を有する素材（以下、ゲル素材と言う）であるため、ホログラム感材用組成物などの化学組成物を均一的に混合して平坦なシート状に形成している。また、このようにホログラム感材シートはゲル素材のバインダーを有しているので、その表面や内部に傷、しわ、撓みが生じやすい。そのため、ポリエチレンテレフタレート等の可撓性をもつ硬い素材によってホログラム感材シートの上下をカバーシート（下面の保護シート）及びベースシート（上面の保護シート）によって挟み込み、さらに、カバーシートとホログラム感材シートとの間には接着層を介在させ、ホログラム感材シートとベースシートとの間には剥離可能な粘着層を介在させて、互いに密着させることにより積層シートを形成している。
このような積層シートは、カバーシートを剥離して露出した接着層をガラス板等の光学基材（プリズム）に貼り付けるとともに、ベースシートを巻き取ることによってホログラム感材シートからベースシートを剥離している。このようにしてホログラム光学素子を作製する技術が知られている（例えば、特許文献１参照）。
【特許文献１】特開平１０−１０９８１１号公報
【発明の開示】
【発明が解決しようとする課題】
【０００３】
しかしながら、上記特許文献１に記載のホログラム感材シートの貼り付け方法では、ホログラム感材シートは予めレーザ光により露光されており、露光後にガラス板等にホログラム感材シートが貼り付けられている。そのため、露光後のホログラム感材シートをガラス板等に貼り付けるためには、ガラス板の寸法に合わせてホログラム感材シートを裁断した後に、圧力を加えて貼り付けなければならないので、露光されたホログラムが変形してしまい、精度上好ましくないという問題があった。
また、予め露光した後にホログラム感材シートをガラス板に貼り付ける場合、ある程度大きなホログラム感材シートに露光するため、その露光にムラが生じたり、高い精度で露光することが困難であった。
さらに、カバーシート剥離後のホログラム感材シートの貼り付け工程においては、ベースシート上に、エアシリンダを巻き取り方向に揺動させながら、ベースシートを押圧することによってガラス板とホログラム感材シートとを密着させて、しわが生じないように貼り付けている。しかし、このエアシリンダによる押圧だけでは十分に貼り付けることが困難で、ベースシートをホログラム感材シートから上手く剥がすことができずに浮き上がったり、露光するために必要なホログラム感材シートもベースシートとともに巻き取られてしまう場合があった。そのため、より確実にガラス板側にホログラム感材シートを貼り付けることが要求されている。
【０００４】
本発明は、上記事情に鑑みてなされたもので、しわや撓みが生じることなくホログラム感材シートを光学基材に確実に貼り付けることができ、しかも、ホログラムの変形が生じることなく、高い精度で露光することのできるホログラム感材シート貼付方法を提供することを目的としている。
【課題を解決するための手段】
【０００５】
上記課題を解決するために、請求項１の発明は、ホログラム感材シートの上下面に保護シートが密着して積層されてなる積層シートのうち、前記ホログラム感材シートを光学基材に貼り付けてホログラム光学素子を作製するホログラム感材シート貼付方法において、
前記積層シートのうち、下面の保護シートを剥離する第１剥離工程と、
第１剥離工程後に、前記積層シートの露出した前記ホログラム感材シートを前記光学基材に載置して真空下で押圧することによって貼り付ける貼付工程と、
貼付工程後に、前記積層シートの上面の保護シートを剥離する第２剥離工程と、
第２剥離工程後に、前記光学基材に貼り付けられたホログラム感材シートに露光する露光工程とを備えていることを特徴とする。
【０００６】
請求項１の発明によれば、積層シートから、その下面の保護シートを剥離し、これによって露出したホログラム感材シートを光学基材に載置して真空下で押圧するので、従来と異なり、しわや撓みが生じることなくホログラム感材シートを光学基材に確実に貼り付けることができる。このように確実に貼り付けることによって、その後、第２剥離工程において、上面の保護シートをホログラム感材シートから上手く剥がすことができずに浮き上がったり、露光に必要なホログラム感材シートがベースシートとともに巻き取られてしまうことがなく、上面の保護シートを容易に剥離することができる。
また、光学基材にホログラム感材シートを貼り付けた後に、そのホログラム感材シートに露光するので、従来のように予め露光したホログラム感材シートを貼り付ける場合に比して、裁断や加圧によってホログラムの変形が生じることがない。また、光学基材に貼り付けた後、ホログラム感材シートに露光するため、高い精度で露光することが可能となる。
したがって、性能品質に非常に優れたホログラム光学素子とすることができる。
【０００７】
請求項２の発明は、請求項１に記載のホログラム感材シート貼付方法において、
前記貼付工程時に、押圧ローラによって前記ホログラム感材シートを前記光学基材に押圧し、前記押圧ローラの硬度が３０〜６０度であることを特徴とする。
【０００８】
請求項２の発明によれば、押圧ローラの硬度が３０〜６０度であるので、ホログラム感材シートと光学基材との間の空気が抜け易くなり、押圧ローラとホログラム感材シートとの間の密着度が高まる。よって、しわや撓みが生じることなくホログラム感材シートを光学基材により確実に貼り付けることができる。この点においても、その後、第２剥離工程における上面の保護シートの剥離作業を容易にすることが可能となる。
ローラの硬度を３０〜６０度としたのは、３０度より小さければホログラム感材シートとの密着度が低く、光学基材を強く押圧することができず、接着力不足となり剥がれの原因となり、６０度より大きければローラが下地である光学基材に追従しないので、押圧力にムラができて浮き（エア溜まり）が発生し易く、また、上面の保護シートやホログラム感材シートに損傷等を与える可能性があるためである。
【発明の効果】
【０００９】
本発明に係るホログラム感材シートの貼付方法によれば、積層シートから、その下面の保護シートを剥離し、ホログラム感材シートを光学基材に載置して真空下で押圧するので、しわや撓みが生じることなくホログラム感材シートを光学基材に確実に貼り付けることができる。したがって、その後、第２剥離工程において、上面の保護シートが浮き上がったり、露光に必要なホログラム感材シートがベースシートとともに巻き取られてしまうことがなく、上面の保護シートを容易に剥離することができる。
さらに、光学基材にホログラム感材シートを貼り付けた後に露光するので、ホログラムの変形が生じることがなく、高い精度で露光することができる。
【発明を実施するための最良の形態】
【００１０】
以下、本発明の実施の形態について図面を参照しながら説明する。
まず、本発明に係るホログラム感材シートの貼付方法に用いられる積層シートについて説明する。
図１に示すように、積層シート１は４層構造をなしており、下側から順にカバーシート２、ホログラム感材シート３、バリアシート４、ベースシート５が互いに密着して積層されてなり、このうち、ホログラム感材シート３が光学基材Ｌ１に貼り付けられて露光されることによって、ホログラム光学素子１００が作製される（図１１参照）。
【００１１】
カバーシート２及びベースシート５は、ホログラム感材シート３の上下面に設けられてホログラム感材シート３を保護する保護シートとしての機能を有しており、これらカバーシート２及びベースシート５は、ホログラム感材シート３を保護するための強度と可撓性とを確保するために、約２０μｍ〜２００μｍであることが好ましい。
バリアシート４は、ホログラム感材シート３に直接設けられて、ホログラム感材シート３を直接保護する保護シートとしての機能を有しており、このバリアシート４も、ホログラム感材シート３を保護するための強度と可撓性との確保の点から、約２μｍ〜２０μｍであることが好ましい。
【００１２】
ホログラム感材シート３は、後述するレーザ露光、紫外線照射、ベイク処理等によってホログラムの映像を形成するシートである。このホログラム感材シート３は、ホログラム感光性組成物、色素組成物、発熱吸熱組成物等の化学組成物及びバインダー等を含むものをシート状に形成したものである。ホログラム感材シート３の厚さは、約１０μｍ〜３０μｍであることが好ましい。
ホログラム感光性組成物は、感光性ハロゲン化銀、非感光性有機銀塩、光重合剤及び還元剤等を含むものからなる。
【００１３】
バインダーとしては、天然ポリマー、合成ポリマー及びコポリマー、その他シートを形成する媒体等が挙げられる。例えば、ゼラチン、アラビアゴム、ポリビニルアルコール、ヒドロキシエチルセルロース、セルロースアセテートブチレート、ポリビニルピロリドン、カゼイン、デンプン、ポリアクリル酸、ポリメチルメタクリレート、ポリメタクリ酸、ポリ塩化ビニル、コポリ（スチレン−無水マレイン酸）、コポリ（スチレン−アクリロニトリル）、コポリ（スチレン−ブタジエン）、ポリビニルアセタール類、ポリビニルホルマール、ポリビニルブチラール、ポリエステル類、ポリウレタン類、フェノキシ樹脂、ポリ塩化ビニリデン、ポリエポキシド類、ポリカーポネート類、ポリビニルアセテート類、セルロースエステル類、ポリアミド等が挙げられ、親水性でも非親水性でも良い。これらは、溶解する溶媒とともに溶液として用いても良いし、ラテックスのような水分散物の形状で用いても良い。
【００１４】
カバーシート２、バリアシート４及びベースシート５の素材としては、例えば、紙、プラスチック、ガラス、金属等が挙げられる。状況に応じてロール状や平坦状にすることのできる可撓性を有し、内部のホログラム感材シート３に損傷を与えにくい強度を有する紙やプラスチックが好ましい。また、適度な可撓性及び強度を有するポリエチレンテレフタレートがさらに好ましい。
金属としては、例えば、アルミニウムやステンレス等が挙げられる。プラスチックとしては、例えば、ポリエステル、ポリスチレン、ポリカーポネート、ポリエーテルスルホン、ポリイミド、ポリシクロペンタジエン、ポリノルボルネン、ナイロン、セルロースアセテート等が挙げられる。ポリエステルとしては、例えば、ポリエチレンテレフタレート、ポリエチレンナフタレート等が挙げられる。特に好ましい素材としては、ポリエチレンナフタレート及びシンジオタクチック構造を有するスチレン系重合体を含むプラスチックが挙げられる。
【００１５】
各シート２〜５間に塗布する粘着剤は、各シート２〜５が接合して密着できるとともに剥離することができれば特に限定されるものではない。例えば、アクリル系樹脂、アクリル酸エステル樹脂、又はこれらの共重合体、ゴム系樹脂、シリコーン系樹脂、酢酸ビニル系樹脂、ウレタン系樹脂、アクリロニトリル、炭化水素樹脂、フェノール系樹脂、アルクルフェノール樹脂、ロジン系樹脂、テルペン樹脂、クロマンインデン樹脂、ポリビニルエーテル、マレイミド系、ポリオレフィン系、ポリビニルエーテル系等のいずれか一つ又はこれらの複合物が挙げられる。また、イソシアネート系架橋剤、金属キレート系架橋剤等を添加して架橋する、いわゆる二液架橋型粘着剤でも良い。
【００１６】
ゴム系樹脂は、例えば、ブチルゴム、ポリイソプレン、ポリイソブチレン、ポリクロロプレン、ニトリルブタジエンゴム、アクリルゴム、スチレン−ブタジエン共重合樹脂等が挙げられる。
酢酸ビニル系樹脂は、例えば、ポリ酢酸ビニル、エチレン酢酸ビニル共重合体等が挙げられる。
ロジン系樹脂は、例えば、ロジン、ロジンエステル、ロジントリグリセリド、水素化ロジン等が挙げられる。
【００１７】
このような粘着剤の粘着力は、各シート２〜５が接合して密着できるとともに剥離することができるように調整されていれば特に限定されない。密着と剥離との両方を満たすように、ピール試験で１０ｇ／２５ｍｍ〜１００ｇ／２５ｍｍであることが好ましい。カバーシート２、ベースシート５、バリアシート４の順に剥離が行い易いように、バリアシート／ホログラム感材シート間、ホログラム感材シート／カバーシート間、ベースシート／バリアシート間の順に密着力が強くなるように調整することが好ましい。また、粘着剤を塗布する厚さは、１μｍ〜５０μｍであれば良く、１μｍ〜２０μｍが好ましい。積層シート１の全体の厚さ寸法を抑えることができるからである。
【００１８】
上述の積層シート１が貼り付けられる光学基材Ｌ１としては、例えば、透明なガラス又は樹脂からなるプリズムが挙げられる。また、積層シート１がプリズムに貼り付けられてなるホログラム光学素子１００は、さらに、他の光学基材Ｌ２に接合されることによりホログラム素子内蔵レンズ２００として使用することができる（図１１参照）。具体的には、眼鏡のレンズ部分に接合されることにより周知のウェラブルディスプレイとして使用することができる。なお、このレンズ部分もプリズムと同様に透明なガラス又は樹脂により作製されたものが好ましい。
【００１９】
次に、本発明に係るホログラム感材シート３の貼付方法について説明するが、その際に使用する各装置の機構、及び、光学基材Ｌ１にホログラム感材シート３を貼り付けた後に、他の光学基材Ｌ２に接合することによってホログラム素子内蔵レンズ２００を作製する方法についても説明する。
ホログラム素子内蔵レンズ２００を作製する工程としては、主に、光学基材加工工程、裁断工程、半切断工程、第１剥離工程、貼付工程、第２剥離工程、露光工程、接合工程等が挙げられる。
まず、射出成形や射出圧縮成形等により成形された光学基材Ｌ１を成形型から取り出した後、ニッパーやカッター等の切断工具を用いてゲートカットする（光学基材加工工程）。
【００２０】
一方、図４に示すように、長尺なロール状に巻き付けられている積層シート１Ａを短冊状に裁断する（裁断工程）。ロール状の積層シート１Ａは、例えば幅３００ｍｍのものが使用できる。そして、この積層シート１Ａを、その長尺方向に対して直交する方向（幅方向）に例えばロールカッター等を使用して短冊状となるように裁断する。具体的には、積層シート１Ａの長尺方向に１５〜２５ｍｍ間隔で裁断する。得られた積層シート１は、幅５ｍｍで長さ３００ｍｍの短冊状とされる。
なお、このロール状の積層シート１Ａのその幅方向両端部には、ホログラム感材シート３が設けられていないことが好ましい。すなわち、このロール状の積層シート１Ａを短冊状に裁断することによって、短冊状の積層シート１の長尺方向両端部にホログラム感材シート３が設けられていない隙間が形成され、この隙間を利用してカバーシート２、バリアシート４及びベースシート５の剥離を容易に行うことができるようになっている。
【００２１】
次いで、図２、図３、図５に示すように、裁断された積層シート１に切込みを入れて半切断部Ｋを形成する（半切断工程）。切込みを入れて半切断するのは、カバーシート２、バリアシート４及びベースシート５をホログラム感材シート３から剥がし易いようにするためであり、また、ホログラム感材シート３のうち、露光しない不要部分を剥がして、露光する露光部分のみを光学基材Ｌ１に貼り付けるためである。
半切断部Ｋを形成する半切断部形成機構は、積層シート１に切込みを入れる切込み刃１１を有する切込みローラ１２と、この切込みローラ１２に対向して配置され積層シート１の上面を押さえる押さえローラ１３と、これら切込みローラ１２と押さえローラ１３とを上下に駆動させる駆動源（図示しない）とを備えている。切込み刃１１は、後述する半切断部Ｋの形状に対応した平面視略四角形状に形成されている。
また、切込みローラ１２と押さえローラ１３とには、これら切込みローラ１２と押さえローラ１３との隙間を調整するためのスプリングやシリンダ等の制御装置（図示しない）が設けられている。この制御装置によって切込みローラ１２と押さえローラ１３との隙間を調整した後、この隙間に積層シート１を挟み込むとともに、切込みローラ１２と押さえローラ１３とで圧着しながら切込み刃１１によって積層シート１に所定形状の半切断部Ｋを形成する。
【００２２】
このような半切断部Ｋを形成するためには、制御装置により、切込みローラ１２と押さえローラ１３との隙間の距離を制御することによって、切込み刃１１の先端が積層シート１の少なくともベースシート５まで達するように切込み刃１１の高さ寸法を調整することが好ましい。
切込み刃１１はベースシート５の１％〜９９％までの間に達することが好ましい。切込み刃１１がベースシート５を貫通しないように切断することによって、後述する第２剥離工程で、ベースシート５が複数に切断されずに、一度にベースシート５を剥離することができる（図９参照）。また、切込み刃１１がベースシート５の１％〜６０％までの間に達することがより好ましく、さらには、切込み刃１１がベースシート５の２０％〜６０％までの間に達することが好ましい。また、切込み刃１１がベースシート５の３０％〜５０％までの間に達することが最も好ましく、ベースシート５剥離の際のホログラム感材シート３に生じる撓みやしわ等の発生を防止することができるためである。
具体的には、半切断部Ｋの深さは約１２５μｍとされている。
【００２３】
切込み刃１１によって形成される半切断形状は、直線、曲線、多角形状、楕円形状等、特に限定されるものではないが、光学基材Ｌ１の貼り付け面に対応する形状であることが好ましい。光学基材Ｌ１の貼り付けの際に、光学基材Ｌ１の貼付面の形状に対応してホログラム感材シート３をさらに裁断する工程を省略することができるためである。
光学基材３の貼り付け面が四角形状である場合には、図３(a)に示すように、切込形状を略四角形状とすることが好ましい。
【００２４】
また、特に、本発明では図３(c)に示すように、半切断部Ｋと非切断部Ｋaとを交互に形成して、いわゆるミシン目状の切込形状とすることが好ましい。半切断部Ｋとは、上述のように切込み刃１１の先端が少なくともバリアシート４まで達した部分を言い、非切断部Ｋaとは、切込み刃１１の先端が少なくともカバーシート２を貫通せずにホログラム感材シート３まで達しなかった部分を言う。
このようにミシン目状とすることにより、後述するカバーシート２剥離の際に、島状のカバーシート２aと梯子状のカバーシート２bとを一緒に剥離することができる（図６参照）。
また、ミシン目状に限らず、図３(b)に示すように、一部にのみ非切断部Ｋaを形成した形状としても構わない。この場合にも、島状のカバーシート２aと梯子状のカバーシート２bとを一緒に剥離することができる。
【００２５】
これら図３(a)〜(c)に示すように、半切断形状を略四角形状に形成することによって、積層シート１は、平面視略四角形状の島状積層シート１aと、島状積層シート１a以外の部分の梯子状積層シート１bとに分けられる。すなわち、ホログラム感材シート３は、後述するベースシート５を剥離する際に、半切断部Ｋによって、露光部分の島状ホログラム感材シート３aと、露光しない不要部分の梯子状ホログラム感材シート３bとに切断されて、島状ホログラム感材シート３aのみを光学基材Ｌ１に貼り付けることができるようになっている（図９参照）。
また、これら図３(a)〜(c)はいずれも下面図であり、ベースシート５を貫通して切り込まれていないので、ベースシート５剥離の際には、ベースシート５を一度に剥離することができる（図９参照）。
【００２６】
さらに、１つの半切断部Ｋ又は切込み刃１１の形状は、図２に示すように先端部が尖った三角形状であっても良いし、図示しないが、先端部を平坦とした断面視略矩形状としても良い。図２は、図３(c)におけるＸ−Ｘ断面図であり、切込み刃１１によって切込まれる状態を示している。
【００２７】
なお、上述の切込みローラ１２と押さえローラ１３とで積層シート１を押圧して半切断部Ｋを形成する場合以外に、切込みローラ１２と押さえローラ１３の代わりに板状の切込み板と、押さえ板とを互いに対向して配置し、これら切込み板と押さえ板とによって挟み込んで半切断部Ｋを形成するように構成しても構わない。具体的には、図示しないが、積層シート１の下側に切込み刃１１を有する切込み板を配設し、積層シート１の上側に押さえ板を配設し、これら切込み板と押さえ板とを上下に押圧することによって切込み刃１１による半切断部Ｋを形成する。
【００２８】
次いで、図６(a)、(b)に示すように、半切断工程で形成された半切断部Ｋを有する積層シート１のうち、下面のカバーシート２を剥離する（第１剥離工程）。
カバーシート２を剥離する第１剥離機構は、第１剥離ローラ１４と除電流体放出装置１５とから構成されている。第１剥離ローラ１４は、その表面に、カバーシート２を吸引するための吸引孔１４aが形成されており、吸引孔１４aには減圧吸引できる吸引装置（図示しない）が接続されている。吸引孔１４aは単数又は複数のいずれでも良い。
また、第１剥離ローラ１４の表面は、少なくとも静電気を放電するこのとできる金属からなることが好ましい。そして、この金属部分には、静電気を放電するアースが設けられていることが好ましい。このようにすることにより、カバーシート２を剥離する際に生じる静電気を放電することができる。
また、カバーシート２を剥離する第１剥離ローラ１４の前又は後に、積層シート１に接触する金属線、金属棒、金属ローラ１６等を備えても良い。これらには、静電気を放電するアースが設けられている。金属としては、銅、銀、アルミニウム、鉄、金、白金等の導電性の高い金属が好ましい。
【００２９】
除電流体放出装置１５は、除電流体を発生させる除電器１５aと、積層シート１を剥離する部分に除電流体を放出することのできる単数又は複数の除電流体放出口１５bとを備えている。除電流体とは、正又は負に帯電させたイオンを含む気体又は液体である。
除電器１５aとしては、主としてコロナ放電タイプ又は軟Ｘ線タイプ等が挙げられ、軟Ｘ線タイプが除電効果が大きい点で好ましい。
また、除電流体放出口１５bは、除電効果を高めるとともに剥離をより容易にするために、受電流体の放出量を多くすることから、その数を増やし、口径を小さくすることが好ましい。
【００３０】
なお、剥離するカバーシート２の表面に両面粘着剤を接着する粘着剤供給装置（図示しない）を設けても良い。この粘着剤を接着されたカバーシート２に第１剥離ローラ１４が接着し、第１剥離ローラ１４が回転することによってカバーシート２がホログラム感材シート３から剥離される。また、直接、第１剥離ローラ１４に粘着剤を設けても良い。このとき、カバーシート２の剥離開始毎に粘着シートが備えられている筒等を第１剥離ローラ１４に装填するように構成する。
また、第１剥離ローラ１４に剥離するカバーシート２を挟むためのクリップ状の部材（図示しない）を設けても良い。すなわち、このクリップ状の部材でカバーシート２を挟むことによって第１剥離ローラ１４に容易に巻き取ることが可能となる。
【００３１】
したがって、第１剥離機構において、第１剥離ローラ１４の吸引口１４aにカバーシート２を吸引させることによって、第１剥離ローラ１４に密着させながら第１剥離ローラ１４を回転させて、島状カバーシート２a及び梯子状カバーシート２bを一緒に剥離するとともに第１剥離ローラ１４に巻き付けていく。また、カバーシート２の剥離の際に、剥離するカバーシート２とホログラム感材シート３との間に、除電流体放出口１５bから放出された除電流体を吹き付ける。これによって、カバーシート３剥離時における静電気の発生が軽減される。
【００３２】
次いで、図７、図８(a)、(b)に示すように、第１剥離工程でカバーシート２が剥離された積層シート１のうち、下面に露出したホログラム感材シート３を光学基材Ｌ１に載置して真空下で押圧することによって、積層シート１を貼り付ける（貼付工程）。
積層シート１を貼り付ける貼付機構は、光学基材Ｌ１及び光学基材Ｌ１に載置された積層シート１を覆う袋体１７と、この袋体１７の外側から光学基材Ｌ１と積層シート１とを押圧する押圧ローラ１８と、押圧する際に袋体１７内を減圧して真空とする真空ポンプ１９とから構成されている。
袋体１７としては、可撓性シート、例えば、ゴムや、ポリプロピレン（ＰＰ）、ポリエチレン（ＰＥ）、ポリエチレンテレフタレート（ＰＥＴ）製のプラスチックシート等が挙げられる。
押圧ローラ１８は、その積層シート１の長尺方向に沿って回転可能なローラとすることが好ましい。また、押圧ローラ１８は、その硬度が３０〜６０度であることが好ましい。硬度が３０度より小さければホログラム感材シート３との密着度が低く、光学基材Ｌ１を強く押圧することができず、接着力不足となり剥がれの原因となり、６０度より大きければ押圧ローラ１８が下地である光学基材Ｌ１に追従しないので、押圧力にムラができて浮き（エア溜まり）が発生し易く、また、上面のベースシート５を剥がす際に影響を及ぼすことがあり、また、ベースシート５、バリアシート４及びホログラム感材シート３に損傷等を与える可能性があるためである。
したがって、貼付機構において、積層シート１を光学基材Ｌ１上に載置し、これら積層シート１及び光学基材Ｌ１を袋体１７で覆うとともに（図８(a)参照）、真空ポンプ１９で真空状態として押圧ローラ１８によって積層シート１及び光学基材Ｌ１を押圧して貼り付ける（図８(b)参照）。これによってしわや撓みが生じることなく、積層シート１を光学基材Ｌ１に確実に貼り付けることができる。
【００３３】
次いで、図９(a)、(b)に示すように、貼付工程で光学基材Ｌ１に貼り付けられた積層シート１のうち、上面のベースシート５を剥離する（第２剥離工程）。
ベースシート５を剥離する第２剥離機構は第１剥離機構と同様の構成であるので、その説明を省略する。
したがって、第２剥離機構において、第２剥離ローラ２０の吸引口２０aにベースシート５を吸引させることによって、第２剥離ローラ２０に密着させながら第２剥離ローラ２０を回転させて、ベースシート５を剥離するとともに第２剥離ローラ２０に巻き付けていく。
ここで、ベースシート５は、半切断部Ｋがベースシート５を貫通していないことから複数に切断されて剥離されずに、一度に剥離されることとなる。さらに、梯子状ホログラム感材シート３b（ホログラム感材シート３の不要部分）及びその上面のバリアシート４も半切断部Ｋで切断されて同時に剥離され、光学基材Ｌ１上には島状ホログラム感材シート３a（ホログラム感材シート３の露光部分）及びその上面のバリアシート４のみ残される。すなわち、本発明では、上述の貼付工程において、積層シート１が光学基材Ｌ１に確実に貼り付けられているため、ベースシート５をホログラム感材シート３から上手く剥がすことができずに浮き上がったり、半切断部Ｋで上手く切断されずに島状ホログラム感材シート３aも一緒に剥がれて巻き取られてしまうことがない。
また、この剥離の際に、第１剥離工程と反対側からベースシート５を剥離することが好ましい。さらに、剥離するベースシート５とバリアシート４との間に、除電流体放出口１５bから放出された除電流体を吹き付ける。これによって、バリアシート４剥離時における静電気の発生が軽減される。
【００３４】
なお、この第２剥離機構において、その他の機構として、例えば図示しないが、光学基材Ｌ１側をベースシート５に対して下方に動かしてベースシート５を剥離する機構としても構わない。具体的には、光学基材Ｌ１の両側面を挟み込むとともにベースシート５に対して下方に移動させるクランプ及びシリンダ等の挟持部材等を使用して、ベースシート５を剥離する。また、このベースシート５の剥離の際にも、静電気の発生を軽減できる面で、剥離するベースシート５とバリアシート４との間に除電流体を吹き付けることが好ましい。
【００３５】
次いで、図１０示すように、第２剥離工程によってベースシート５が剥離された積層シート１の未記録のホログラム感材シート３にレーザ露光する（露光工程）。
露光装置２１としては、周知の装置を使用することができ、赤、青、緑の３原色のレーザ光で露光することが好ましい。
したがって、ベースシート５が剥離された積層シート１付き光学基材Ｌ１に対して、表面に露出したバリアシート４の上方からレーザ照射することにより、不図示のビームスプリッタによって分けられた参照光がホログラム感材シート３の一方の主面に入射し、物体光がホログラム感材シート３の他方の主面に入射する。これにより、参照光と物体光とがホログラム感材シート３上において干渉し、参照光と物体光との干渉によって生じる干渉縞がホログラム感材シート３に記録される。
【００３６】
次いで、露光後の積層シート１を、さらに、ＵＶ照射装置により１〜４時間ＵＶ照射することによってホログラム感材シート３全面を記録固定し、露光したホログラムを安定化させる（ＵＶ照射工程）。
その後、光学基材Ｌ１を熱処理装置により恒温槽で約８０〜１１０℃、１２〜２４時間ベイクして、不必要な化学物質を飛ばしてさらに安定化させ、耐久性を高めるとともにより回折効率を向上させる（ベイク処理工程）。
【００３７】
次いで、バリアシート４に、例えば粘着剤等を軽く付着させることによってバリアシート４を剥離する（バリアシート剥離工程）。その結果、ホログラム光学素子１００が作製される。
【００３８】
このようにして作製されたホログラム光学素子１００を、図１１(a)に示すように他の光学基材Ｌ２に接着して接合する（接合工程）。すなわち、ホログラム光学素子１００のバリアシート４剥離面のうち、記録したホログラム感材シート３が貼り付けられていない面に接着剤を塗布し、また、他の光学基材Ｌ２においても記録したホログラム感材シート３に接触しない面に接着剤を塗布する。そして、これら両光学基材Ｌ１、Ｌ２を貼り合わせることによって接合する。
接着剤としては、両光学基材Ｌ１、Ｌ２の屈折率と同じ屈折率のものを使用することが好ましく、ＵＶ硬化型のものが好ましい。具体的には、主にアクリルやポリカーボネートを含む接着剤が好ましい。
そして、両光学基材Ｌ１、Ｌ２を接合後、ＵＶ照射を行い硬化させた後、他の光学基材Ｌ２とホログラム光学素子１００間の貼合面をクリーニングし、ホログラム素子内蔵レンズ２００とする（図１１(b)参照）。
【００３９】
以上、本発明の実施の形態のホログラム感材シート３貼付方法によれば、積層シート１からカバーシート２を剥離し、ホログラム感材シート３を光学基材Ｌ１に載置して真空下で押圧するので、しわや撓みが生じることなくホログラム感材シート３を光学基材Ｌ１に確実に貼り付けることができる。したがって、その後、ベースシート５を剥離する際に、ベースシート５を上手く剥がすことができずに浮き上がったり、半切断部Ｋで上手く切断されずに、露光部分である島状ホログラム感材シート３aも一緒に剥がれてベースシート５とともに巻き取られてしまうことがなく、ベースシート５と、半切断部Ｋで切断された不要な梯子状ホログラム感材シート３b及びその上面のバリアシート４とを容易に剥離することができる。
さらに、光学基材Ｌ１にホログラム感材シート３を貼り付けた後に露光するため、予め露光したホログラム感材シート３を貼り付ける場合に比して、ホログラム感材シート３の裁断や加圧によってホログラムの変形が生じることがない。また、高い精度で露光することが可能となる。
【００４０】
なお、本発明の実施の形態は、上記実施の形態に限定されるものではなく、その要旨を変更しない限り、適宜変更可能である。
例えば、上記実施の形態では、長尺なロール状の積層シート１Ａを裁断して短冊状とした積層シート１を貼り付ける場合について説明したが、これに限らず、長尺なロール状の積層シート１Ａをそのまま光学基材Ｌ１に貼り付けても良いし、多角形状、円形状等に裁断したもの、また、長尺なロール状の積層シート１Ａの幅方向において裁断した後にパンケーキ状に巻き取ったもの等、いずれの形状であっても良い。なお、上記実施の形態のように短冊状とした場合は、長尺なロール状に比べて扱いやすく、積層シートの無駄が生じることなくコスト面で有利である。
【００４１】
さらに、一連の工程を自動化させるために、積層シート１の各工程への搬送は、例えば搬送ベルトや搬送ローラ等の周知の機構によって搬送可能に構成しても構わない。
【図面の簡単な説明】
【００４２】
【図１】本発明の実施の形態を示すためのもので、積層シートの断面図である。
【図２】同、図３(c)におけるＸ−Ｘ断面図であり、積層シートに切込み刃によって切り込まれる状態を示している。
【図３】同、(a)〜(c)は、積層シートの下面から見た際の切込み形状のパターンを示す図である。
【図４】同、裁断工程を示す斜視図である。
【図５】同、半切断工程を示す斜視図である。
【図６】同、第１剥離工程を示す断面図であり、(b)は(a)の拡大図である。
【図７】同、貼付工程を示す断面図である。
【図８】同、(a)、(b)は、図７の拡大図である。
【図９】同、第２剥離工程を示す断面図であり、(b)は(a)の拡大図である。
【図１０】同、露光工程を示す断面図である。
【図１１】同、(a)、(b)は、接合工程を示す断面図である。
【符号の説明】
【００４３】
１  積層シート
２  カバーシート（下面の保護シート）
３  ホログラム感材シート
５  ベースシート（上面の保護シート）
１８  押圧ローラ
１００  ホログラム光学素子
Ｌ１  光学基材
【図１】
2006178184.tif 000003
【図２】
2006178184.tif 000004
【図３】
2006178184.tif 000005
【図４】
2006178184.tif 000006
【図５】
2006178184.tif 000007
【図６】
2006178184.tif 000008
【図７】
2006178184.tif 000009
【図８】
2006178184.tif 000010
【図９】
2006178184.tif 000011
【図１０】
2006178184.tif 000012
【図１１】
2006178184.tif 000013